(57)【要約】【課題】蓋体ユニットに付着した水が筐体内に落ちることを防ぐことができる炊飯器を提供する。【解決手段】本発明に係る炊飯器は、筐体と、筐体に対して前後にスライド移動可能に収容され、鍋を収容する収容部を有する引き出しユニットと、鍋の開口面と平行に設けられる回動軸を介して引き出しユニットに回動可能に接続され、回動軸を中心に回動して鍋の開口を開閉する蓋体ユニットとを備え、回動軸は、引き出しユニットとともにスライド移動し、蓋体ユニットは、引き出しユニット及び回動軸とともにスライド移動し、回動軸を中心とする蓋体ユニットの回動をガイドするガイド機構を介して筐体に接続され、引き出しユニット及び回動軸のスライド移動と連動して回動軸を中心に回動し、蓋体ユニットの下面は、引き出しユニットを筐体内から引き出したとき、蓋体ユニットの回動により前方に露出する。【選択図】図２
2020005668.tif 000002
【特許請求の範囲】
【請求項１】
筐体と、
前記筐体に対して前後にスライド移動可能に収容され、鍋を収容する収容部を有する引き出しユニットと、
前記鍋の開口面と平行に設けられる回動軸を介して前記引き出しユニットに回動可能に接続され、前記回動軸を中心に回動して前記鍋の開口を開閉する蓋体ユニットと、を備え、
前記回動軸は、前記引き出しユニットとともにスライド移動し、
前記蓋体ユニットは、前記引き出しユニット及び前記回動軸とともにスライド移動し、前記回動軸を中心とする前記蓋体ユニットの回動をガイドするガイド機構を介して前記筐体に接続され、前記引き出しユニット及び前記回動軸のスライド移動と連動して前記回動軸を中心に回動し、
前記蓋体ユニットの下面は、前記引き出しユニットを前記筐体内から引き出したとき、前記蓋体ユニットの回動により前方に露出する、炊飯器。
【請求項２】
前記筐体内に設けられ米を貯蔵する貯蔵部と、
前記貯蔵部から前記鍋に米を供給する米供給部と、
前記米供給部による米の供給を制御する制御部と、を備える、請求項１に記載の炊飯器。
【請求項３】
前記蓋体ユニットの下方に着脱可能に設けられ前記鍋内で洗米する撹拌羽根を備え、
前記撹拌羽根は、前記引き出しユニットを前記筐体内から引き出したとき、前記蓋体ユニットの回動により前方に露出する、請求項１又は２に記載の炊飯器。
【請求項４】
前記蓋体ユニットの下面には、前記鍋の前記開口を開閉する鍋蓋が着脱可能に取り付けられる、請求項１から３のいずれか一項に記載の炊飯器。
【請求項５】
前記筐体内に設けられ米を貯蔵する貯蔵部と、
前記貯蔵部から前記鍋に米を供給する米供給部と、を備え、
前記鍋蓋には、前記米供給部から前記鍋に米を供給する米供給路が設けられる、請求項４に記載の炊飯器。
【請求項６】
前記蓋体ユニットは、弾性部材によって付勢されて前記回動軸を中心に開方向に回動し、
前記引き出しユニットは、前記筐体に収容された閉位置において、前方に引き出されることを防ぐロック機構を有し、
前記ガイド機構は、鉛直方向に形成されたガイドを有し、
前記ロック機構を解除したとき、前記蓋体ユニットが前記弾性部材によって開方向に回動し、前記ガイド機構を介した前記筐体との前記蓋体ユニットの接続部が前記ガイドによって後方への移動を規制されることで、前記蓋体ユニットと接続する前記引き出しユニットは、前記弾性部材の付勢力によって前記筐体内から前方へ引き出される、請求項１から５のいずれか一項に記載の炊飯器。
【請求項７】
前記蓋体ユニットは、前記筐体の前面を形成する前面パネルを有し、
前記前面パネルの背面は、前記蓋体ユニットが開位置にあるとき、前記筐体の上面に位置する、請求項１から６のいずれか一項に記載の炊飯器。
【発明の詳細な説明】
【技術分野】
【０００１】
本発明は、炊飯器に関する。
【背景技術】
【０００２】
従来、この種の炊飯器として種々の構造のものが知られている。例えば、従来の炊飯器として、筐体内にスライド移動可能に収容される鍋と、鍋の開口を垂直方向に開閉自在である蓋体ユニットと、を備える構造のものが知られている（特許文献１参照）。
【先行技術文献】
【特許文献】
【０００３】
【特許文献１】特開平４−２１８１１２号公報
【発明の概要】
【発明が解決しようとする課題】
【０００４】
しかしながら、従来の炊飯器においては、蓋体ユニットに付着した水が筐体内に落ちることを防ぐという観点において未だ改善の余地がある。
【０００５】
従って、本発明の目的は、前記課題を解決することにあって、蓋体ユニットに付着した水が筐体内に落ちることを防ぐことができる炊飯器を提供することにある。
【課題を解決するための手段】
【０００６】
前記目的を達成するために、本発明に係る炊飯器は、筐体と、
前記筐体に対して前後にスライド移動可能に収容され、鍋を収容する収容部を有する引き出しユニットと、
前記鍋の開口面と平行に設けられる回動軸を介して前記引き出しユニットに回動可能に接続され、前記回動軸を中心に回動して前記鍋の開口を開閉する蓋体ユニットと、を備え、
前記回動軸は、前記引き出しユニットとともにスライド移動し、
前記蓋体ユニットは、前記引き出しユニット及び前記回動軸とともにスライド移動し、前記回動軸を中心とする前記蓋体ユニットの回動をガイドするガイド機構を介して前記筐体に接続され、前記引き出しユニット及び前記回動軸のスライド移動と連動して前記回動軸を中心に回動し、
前記蓋体ユニットの下面は、前記引き出しユニットを前記筐体内から引き出したとき、前記蓋体ユニットの回動により前方に露出する。
【発明の効果】
【０００７】
本発明に係る炊飯器によれば、蓋体ユニットに付着した水が筐体内に落ちることを防ぐことができる。
【図面の簡単な説明】
【０００８】
【図１】本発明の実施形態に係る炊飯器の斜視図
【図２】炊飯器の開状態を示す斜視図
【図３】図１の縦断面図
【図４】図２の縦断面図
【図５】図１の蓋体ユニットの斜視図
【図６】図１の筐体内の構成の一部を示す斜視図
【図７】図５の縦断面図
【図８】図１の引き出しユニットの斜視図
【図９】図８の収容部を取り外した引き出しユニットの斜視図
【図１０】図９のロック機構の拡大図
【図１１】図１の引き出しユニットがロックされた状態を示すロック機構の縦断面図
【図１２】図６の貯蔵部及び米供給部の分解図
【図１３】図６の米供給部の斜視図
【図１４】米を供給しないとき図１３の米供給部の縦断面図
【図１５】米を供給するときの図１３の米供給部の縦断面図
【図１６】図３の鍋蓋の斜視図
【図１７】図３の鍋蓋の分解図
【図１８】米を供給しないときの図１６のシャッターの縦断面図
【図１９】米を供給するときの図１６のシャッターの縦断面図
【図２０】開閉状態を示す、図１６のシャッターの縦断面図
【図２１】図３の洗米ユニットの分解図
【図２２】図２１の洗米部及び排水管の駆動構成を示す縦断面図
【図２３】図２２の排水管及び排水接続部の縦断面図
【図２４】図２２の排水管の上端部の斜視図
【図２５】図２２の排水接続部の下端部の斜視図
【図２６】図２２の洗米部及び排水管の横断面図
【図２７】図２１の洗米部及び排水管の駆動構成を示す上面図
【図２８】図２１の洗米部及び排水管の駆動構成を示す下面図
【図２９】図７の洗米部が下方に移動した状態の蓋体ユニットの縦断面図
【図３０】図３の排水ユニットの斜視図
【図３１Ａ】排水工程を模式的に示す断面図
【図３１Ｂ】図３１Ａに続く工程を示す断面図
【図３１Ｃ】図３１Ｂに続く工程を示す断面図
【図３１Ｄ】図３１Ｃに続く工程を示す断面図
【図３１Ｅ】図３１Ｄに続く工程を示す断面図
【発明を実施するための形態】
【０００９】
（本発明の基礎となった知見）
本発明者らは、蓋体ユニットに付着した水が筐体内に落ちることを防ぐために鋭意検討した結果、以下の知見を得た。
【００１０】
従来の炊飯器において、蓋体ユニットは筐体内で垂直方向に移動して鍋の開口を開閉し、鍋は筐体内に対してスライド方向に移動する。当該構成において、炊飯後に鍋内の米を取り出す際、ユーザは、蓋体ユニットを垂直方向に開いた後、鍋をスライド移動させて引き出す。
【００１１】
しかしながら、従来の炊飯器では、鍋を引き出した状態で、蓋体ユニットは、下面が筐体の底部に向いた状態で筐体内に配置されている。炊飯時に発生した蒸気によって、蓋体ユニットの下面には水が付着しているため、鍋を引き出した状態では、蓋体ユニットの下面から筐体内に水が落ちる可能性がある。
【００１２】
これに対して、本発明者らは、蓋体ユニットが、鍋とともにスライド移動し、鍋のスライド移動と連動して鍋の開口を開閉する構成を見出した。これにより、本発明者らは、蓋体ユニットに付着した水が筐体内に落ちることを防ぐことができることを見出した。
【００１３】
これらの新規な知見に基づき、本発明者らは、以下の発明に至った。
【００１４】
本発明の第１態様によれば、筐体と、
前記筐体に対して前後にスライド移動可能に収容され、鍋を収容する収容部を有する引き出しユニットと、
前記鍋の開口面と平行に設けられる回動軸を介して前記引き出しユニットに回動可能に接続され、前記回動軸を中心に回動して前記鍋の開口を開閉する蓋体ユニットと、を備え、
前記回動軸は、前記引き出しユニットとともにスライド移動し、
前記蓋体ユニットは、前記引き出しユニット及び前記回動軸とともにスライド移動し、前記回動軸を中心とする前記蓋体ユニットの回動をガイドするガイド機構を介して前記筐体に接続され、前記引き出しユニット及び前記回動軸のスライド移動と連動して前記回動軸を中心に回動し、
前記蓋体ユニットの下面は、前記引き出しユニットを前記筐体内から引き出したとき、前記蓋体ユニットの回動により前方に露出する、炊飯器を提供する。
【００１５】
本発明の第２態様によれば、前記筐体内に設けられ米を貯蔵する貯蔵部と、
前記貯蔵部から前記鍋に米を供給する米供給部と、
前記米供給部による米の供給を制御する制御部と、を備える、第１態様に記載の炊飯器を提供する。
【００１６】
本発明の第３態様によれば、前記蓋体ユニットの下方に着脱可能に設けられ前記鍋内で洗米する撹拌羽根を備え、
前記撹拌羽根は、前記引き出しユニットを前記筐体内から引き出したとき、前記蓋体ユニットの回動により前方に露出する、第１又は第２態様に記載の炊飯器を提供する。
【００１７】
本発明の第４態様によれば、前記蓋体ユニットの下面には、前記鍋の前記開口を開閉する鍋蓋が着脱可能に取り付けられる、第１から第３態様のいずれか１つに記載の炊飯器を提供する。
【００１８】
本発明の第５態様によれば、前記筐体内に設けられ米を貯蔵する貯蔵部と、
前記貯蔵部から前記鍋に米を供給する米供給部と、を備え、
前記鍋蓋には、前記米供給部から前記鍋に米を供給する米供給路が設けられる、第４態様に記載の炊飯器を提供する。
【００１９】
本発明の第６態様によれば、前記蓋体ユニットは、弾性部材によって付勢されて前記回動軸を中心に開方向に回動し、
前記引き出しユニットは、前記筐体に収容された閉位置において、前方に引き出されることを防ぐロック機構を有し、
前記ガイド機構は、鉛直方向に形成されたガイドを有し、
前記ロック機構を解除したとき、前記蓋体ユニットが前記弾性部材によって開方向に回動し、前記ガイド機構を介した前記筐体との前記蓋体ユニットの接続部が前記ガイドによって後方への移動を規制されることで、前記蓋体ユニットと接続する前記引き出しユニットは、前記弾性部材の付勢力によって前記筐体内から前方へ引き出される、第１から第５態様のいずれか１つに記載の炊飯器を提供する。
【００２０】
本発明の第７態様によれば、前記蓋体ユニットは、前記筐体の前面を形成する前面パネルを有し、
前記前面パネルの背面は、前記蓋体ユニットが開位置にあるとき、前記筐体の上面に位置する、第１から第６態様のいずれか１つに記載の炊飯器を提供する。
【００２１】
以下、本実施形態に係る炊飯器について、添付図面を参照しながら説明する。なお、図面において実質的に同一の部材については同一の符号を付している。
【００２２】
また、以下では、説明の便宜上、通常使用時の状態を想定して「上」、「下」、「前」、「後」等の方向を示す用語を用いている。しかしながら、これらの用語は、本発明の炊飯器の使用状態等を限定することを意味するものではない。
【００２３】
また、以下の図面において、Ｘ方向は、本発明の実施形態に係る炊飯器１の前後方向を示す。Ｙ方向は、炊飯器１の左右方向を示す。Ｚ方向は、炊飯器１の上下方向（鉛直方向）を示す。
【００２４】
（実施形態）
炊飯器１の全体構成について説明する。図１は、本実施形態に係る炊飯器１の斜視図である。図２は、炊飯器１の開状態を示す斜視図である。
【００２５】
図１及び図２に示すように、炊飯器１は、筐体２と、筐体２に対して前後にスライド移動可能に収容される引き出しユニット３とを備える。さらに、炊飯器１は、引き出しユニット３に接続されて鍋３０の開口３０ａを開閉する蓋体ユニット４を備える。図２に示すように、引き出しユニット３は、鍋３０を収容する収容部３１（炊飯器本体）を有する。
【００２６】
図３は、図１の縦断面図である。図４は図２の縦断面図である。
【００２７】
図３及び図４に示すように、炊飯器１は、筐体２内に設けられ米を貯蔵する貯蔵部５と、貯蔵部５から鍋３０に米を供給する米供給部６と、制御部７とを備える。さらに、炊飯器１は、鍋３０内で洗米する洗米ユニット８と、鍋３０内の水を排水する排水管９とを備える。
【００２８】
収容部３１は、鍋３０を加熱する加熱部３１ａを有する。本実施形態では、制御部７は、米供給部６による米の供給、洗米ユニット８による洗米、鍋３０への給水、鍋３０内の水の排水、及び加熱部３１ａを制御する。
【００２９】
以上のような構成により、炊飯器１は、給米、洗米、給排水、及び炊飯の一連の作業を自動で行う、所謂、全自動炊飯器と称される。
【００３０】
次に、蓋体ユニット４の開閉構成について説明する。図３及び図４に示すように、蓋体ユニット４は、回動軸４０を介して引き出しユニット３に回動可能に接続される。回動軸４０は、鍋３０の開口面Ｓ１と平行に設けられる。また、回動軸４０は、引き出しユニット３とともに前後にスライド移動する。
【００３１】
蓋体ユニット４は、回動軸４０を中心に回動することによって、鍋３０の開口３０ａを開閉する。さらに、蓋体ユニット４は、引き出しユニット３及び回動軸４０とともに前後にスライド移動する。蓋体ユニット４は、引き出しユニット３及び回動軸４０のスライド移動と連動して回動軸４０を中心に回動する。
【００３２】
図５は、蓋体ユニット４の斜視図である。図６は、筐体２（図１）内の構成の一部を示す斜視図である。図７は、図５の縦断面図である。図５に示すように、蓋体ユニット４は弾性部材４１を有する。蓋体ユニット４は、弾性部材４１によって付勢されて回動軸４０（図３）を中心に開方向（Ａ１）に回動する。本実施形態では、弾性部材４１はばねである。また、蓋体ユニット４は、ガイド機構１０を介して筐体２に接続される。
【００３３】
ガイド機構１０は、回動軸４０を中心とする蓋体ユニット４の回動をガイドする。蓋体ユニット４が回動するとき、ガイド機構１０は、ガイド機構１０を介した筐体２との蓋体ユニット４の接続部（後述のリンクピン１０１）が後方へ移動することを規制する。これにより、蓋体ユニット４の回動と連動して、蓋体ユニット４と接続する引き出しユニット３（図４）は前後にスライド移動する。
【００３４】
図５から図７に示すように、本実施形態では、ガイド機構１０は、リンクピン１０１（図５）と、リンクピン１０１を嵌めるリンク溝であるガイド１０２（図６）とを有する。リンクピン１０１は、蓋体ユニット４の側面から内側に延びて形成される。ガイド１０２は、筐体２の内部においてリンクピン１０１よりも内側に形成される。本実施形態では、ガイド１０２は、鉛直方向（Ｚ方向）に形成される。
【００３５】
図４に示すように、炊飯器１が開状態のとき、すなわち、引き出しユニット３を筐体２内から引き出したとき、蓋体ユニット４の下面Ｓ２は、蓋体ユニット４の回動により前方に露出する。後述する洗米ユニット８の撹拌羽根８０ａは、炊飯器１が開状態のとき、蓋体ユニット４の回動により前方に露出する。また、蓋体ユニット４は、筐体２の前面を形成する前面パネル４２を有する。蓋体ユニット４が開位置にあるとき（炊飯器１が開状態のとき）、前面パネル４２の背面は、筐体２の上面に位置する。
【００３６】
次に、引き出しユニット３の引き出し構成について説明する。図８は、引き出しユニット３の斜視図である。図９は、収容部３１を取り外した引き出しユニット３の斜視図である。図８及び図９に示すように、引き出しユニット３は、引き出しユニット３の前後のスライド移動をガイドするレール３２を有する。また、引き出しユニット３は、筐体２に収容された閉位置において、前方に引き出されることを防ぐロック機構３３を有する。
【００３７】
図１０は、図９のロック機構３３の拡大図である。図１１は、引き出しユニット３がロックされた状態を示すロック機構３３の縦断面図である。図１０及び図１１に示すように、ロック機構３３は、フックレバー３３ａと、フックレバー３３ａに接続して回動する回動部３３ｂとを有する。
【００３８】
フックレバー３３ａは、蓋体ユニット４の前面パネル４２と前後方向に係合する。本実施形態では、フックレバー３３ａは、上端部から後方に向けて斜め下方に延びて形成される係合部３３ａａを有する。前面パネル４２は、下端部から前方に向けて斜め上方に延びて形成される被係合部４２ａを有する。係合部３３ａａと被係合部４２ａとが係合することで、フックレバー３３ａは前面パネル４２と前後方向に係合する。フックレバー３３ａが後方に押され回動部３３ｂが回動することで、係合部３３ａａと被係合部４２ａとの係合は解除される。
【００３９】
ユーザがロック機構３３を解除したとき、蓋体ユニット４が弾性部材４１（図５）によって開方向（Ａ１）に回動する。さらに、ガイド機構１０を介した筐体２との蓋体ユニット４の接続部（リンクピン１０１）がガイド１０２（図６）によって後方への移動を規制されることで、蓋体ユニット４と接続する引き出しユニット３は前方に移動するように力を受ける。これにより、引き出しユニット３は、弾性部材４１の付勢力によって筐体２内から前方へ引き出される。
【００４０】
本実施形態では、ロック機構３３が解除される前（蓋体ユニット４が閉位置にあるとき）、蓋体ユニット４が開く方向の弾性部材４１によるトルクＦ１は、蓋体ユニット４が閉じる方向の蓋体ユニット４によるトルクＦ２よりも大きい。このため、ロック機構３３を解除した直後、引き出しユニット３は前方に引き出される。トルクＦ２は、蓋体ユニット４の重心位置Ｇ１（図７）によって決められる。その後、トルクＦ１は、Ｆ２よりも小さくなる。このため、ユーザが引き出しユニット３を引き出し方向に力を加えることで、引き出しユニット３は前方に引き出される。引き出しユニット３を引き出していくと、トルクＦ１は、再びトルクＦ２よりも大きくなる。これにより、引き出しユニット３は、筐体２から引き出された状態（炊飯器１が開状態）となる。
【００４１】
次に、米供給部６の構成について説明する。図１２は、貯蔵部５及び米供給部６の分解図である。図１３は、米供給部６の斜視図である。図１２及び図１３に示すように、米供給部６は、筒状に形成される送米ガイド６０と、送米ガイド６０内に挿入されて米を軸方向に送る送米軸６１と、送米軸６１を駆動する駆動源６２とを備える。本実施形態では、駆動源６２は、送米軸６１の回転を駆動する。また、米供給部６は、米の重力で貯蔵部５から米供給部６に米を送ることができるように、貯蔵部５の下方に配置される。
【００４２】
送米ガイド６０は、水平面（ＸＹ平面）に沿った方向に筒状に延びて形成される筒状部６００を有する。筒状部６００は、円筒状に形成される。送米ガイド６０は、筒状部６００から上方に向けて筒状に延びる上方筒状部６０１と、筒状部６００から下方に向けて筒状に延びる下方筒状部６０２とを有する。筒状部６００、上方筒状部６０１、及び下方筒状部６０２は、連通して形成される。上方筒状部６０１は、貯蔵部５と接続して、貯蔵部５内の米を筒状部６００に送る。
【００４３】
図１４は、米を供給しないときの図１３の米供給部６の縦断面図である。図１５は、米を供給するときの図１３の米供給部６の縦断面図である。
【００４４】
図１４及び図１５に示すように、送米ガイド６０は、送米ガイド６０内に米を投入する米投入口６０ａと、米投入口６０ａから送米軸６１によって送られる米を鍋３０に供給する米供給口６０ｂとを有する。米投入口６０ａは上方筒状部６０１に形成されて上方に開口し、米供給口６０ｂは下方筒状部６０２に形成されて下方に開口する。米供給口６０ｂは、送米軸６１の軸方向（Ａ２）において米投入口６０ａとずれて鍋３０（図３）の上方に設けられる。
【００４５】
図１２、図１４及び図１５に示すように、送米軸６１は、軸周りに螺旋状に形成される送米羽根６１０を有する。送米羽根６１０は、送米軸６１を中心に回転して米を軸方向に送る。また、送米軸６１には、米投入口６０ａから米供給口６０ｂへの米通路６０ｃを開閉する米通路開閉部６１１（ルーバー）が設けられる。米通路開閉部６１１は、米を供給しないとき米通路６０ｃを閉鎖する閉位置（図１４）に位置し、米を供給するとき軸方向に移動して米通路６０ｃを開放する開位置（図１５）に位置する。米通路開閉部６１１は、米を供給しないときに軸方向（Ａ１）において筒状部６００内の空間を隔てるように、送米軸６１から外周方向に延びて形成される。本実施形態では、米通路開閉部６１１は、筒状部６００の内側を覆うように円板状に形成される。
【００４６】
米供給部６は、送米軸６１と螺合接続する送米軸受け部６３を備える。送米軸受け部６３は、送米ガイド６０（筒状部６００）の軸方向端部に取り付けられる。この状態で駆動源６２によって送米軸６１が送米軸受け部６３に対して回転することで、送米軸受け部６３に螺合接続する送米軸６１は、米通路開閉部６１１とともに軸方向に移動する。
【００４７】
米供給部６は、送米軸６１が送米軸受け部６３に螺合する方向（Ａ３）に、送米軸６１を付勢する送米軸用弾性部材６４を備える。送米軸用弾性部材６４によって、米通路開閉部６１１が開位置（図１５）に位置するとき、送米軸６１と送米軸受け部６３との螺合接続が解除された状態で、送米軸６１は、駆動源６２によって回転して米を米供給口６０ｂへ送る。米の供給を止めるとき、送米軸用弾性部材６４によって送米軸６１を送米軸受け部６３に付勢した状態で送米軸６１を逆回転させる。これにより、送米軸６１は、送米軸受け部６３と螺合接続して、米通路開閉部６１１を開位置（図１５）から閉位置（図１４）へ移動させる。
【００４８】
図１２に示すように、駆動源６２は、搬送モータ６２０と、搬送モータ６２０に接続する駆動軸６２１とを有する。搬送モータ６２０は、搬送モータ固定台６２２によって筒状部６００に固定される。駆動軸６２１は、送米軸６１が軸方向に移動可能な状態で、送米軸６１に対して回転方向に係合する。搬送モータ６２０によって駆動軸６２１が回転することで送米軸６１は回転する。
【００４９】
図１２に示すように、米供給部６は、米供給口６０ｂから供給される米を下方に誘導する送米パイプ６５を備える。送米パイプ６５は、筒状に延びて形成され米供給口６０ｂに上下移動可能に接続される。具体的には、送米パイプ６５は、送米パイプガイド６６を介して筒状部６００に上下移動可能に接続され、下方筒状部６０２に挿入される。また、送米パイプ６５は、送米路モータ６７の駆動によって、送米パイプガイド６６に誘導されて上下移動する。米を鍋３０に供給するとき、送米パイプ６５は、下方に移動して米供給口６０ｂから鍋３０へ米を誘導する。
【００５０】
図３に示すように、鍋３０の開口３０ａは、鍋蓋４３によって覆われる。鍋蓋４３は、蓋体ユニット４の下面において着脱可能に取り付けられ、開口３０ａを開閉する。
【００５１】
図１６は、図３の鍋蓋４３の斜視図である。図１７は、図３の鍋蓋４３の分解図である。図１７に示すように、鍋蓋４３には、上下方向に貫通して開閉口４３ａが設けられる。また、鍋蓋４３には、開閉口４３ａを開閉可能に覆うシャッター４３０（米蓋）が設けられる。シャッター４３０は、送米パイプ６５（図１２）の上下移動と連動して開閉口４３ａを開閉する。また、鍋蓋４３には、米供給部６から鍋３０に米を供給する米供給路４３ｂが設けられる。
【００５２】
本実施形態では、鍋蓋４３は、内蓋４３２と、内蓋４３２と鍋３０との間をシールする鍋パッキン４３３と、内蓋４３２を支える内蓋支え４３４と、内蓋ケース４３５とを有する。
【００５３】
内蓋４３２には、炊飯時の蒸気を外部に排出するための蒸気口４３ｄが設けられる。また、内蓋４３２の中央には、後述する洗米管８０ｂが上下移動可能に挿入される挿入口４３ｅが設けられる。内蓋ケース４３５は、内蓋パッキン４３６を介して内蓋４３２に取り付けられる。内蓋パッキン４３６は、内蓋ケース４３５と内蓋４３２との間をシールする。また、内蓋ケース４３５には、開閉口４３ａが設けられる。開閉口４３ａは、シャッター４３０が開くことで、内蓋４３２に設けられる貫通孔４３２ａと連通する。これにより、米供給路４３ｂが形成される。また、内蓋ケース４３５の下方には、開閉口４３ａを下方から覆うように、シャッター４３０が取り付けられる。シャッター４３０は、米蓋パッキン４３７と米蓋パッキンを押さえる米蓋パッキン押さえ４３８とともに開閉口４３ａを覆う。米蓋パッキン４３７は、開閉口４３ａとシャッター４３０との間をシールする。
【００５４】
図１８は、米を供給しないときの図１６のシャッター４３０の縦断面図である。図１９は、米を供給するときの図１６のシャッター４３０の縦断面図である。図１８及び図１９に示すように、シャッター４３０は、開閉軸４３０ａを中心に回転して開閉口４３ａを開閉する。また、図１８に示すように、シャッター４３０の上方には、米供給口６０ｂ及び送米パイプ６５が、シャッター４３０と空間を空けて配置される。
【００５５】
図１９に示すように、米を供給するとき、送米パイプ６５を下方に移動させるとともにシャッター４３０を連動して開くことで、米供給口６０ｂから鍋３０内への搬送路４３ｃを形成する。本実施形態では、シャッター４３０は、送米パイプ６５がシャッター４３０を下方に押すことで、送米パイプ６５の下方への移動と連動して開く。
【００５６】
図２０は、開閉状態を示す、図１６のシャッター４３０の縦断面図である。図２０に示すように、シャッター４３０は、シャッター４３０を閉じる方向に付勢するシャッター用弾性部材４３１を有する。シャッター用弾性部材４３１は、シャッター４３０と内蓋ケース４３５とを接続する。シャッター用弾性部材４３１の付勢力は、送米パイプ６５の下方への移動と連動してシャッター４３０が開く途中で弱まる。具体的には、シャッター用弾性部材４３１の付勢力は、シャッター４３０が基準線Ｌ１を超えて開くまでは、シャッター４３０が開くにつれて強まり、シャッター４３０が基準線Ｌ１を超えて開いた後は、シャッター４３０が開くにつれて弱まる。ここで、基準線Ｌ１とは、シャッター用弾性部材４３１の内蓋ケース４３５における取付位置Ｐ１と開閉軸４３０ａとを通る直線である。
【００５７】
制御部７は、搬送モータ６２０の駆動を制御する。これにより、制御部７は、鍋３０内へ供給する米の量を調節する。本実施形態では、制御部７は、鍋３０内に供給した米の量を検知することによって、供給する米の量を調節する。図９に示すように、引き出しユニット３は、鍋３０の下方に配置される重量計測台３４と、重量計測台３４の下方に配置される重量検知機構３５（重量センサ）とを有する。本実施形態では、鍋３０に供給される米の重量は、重量検知機構３５によって量られる。
【００５８】
制御部７は、送米路モータ６７の駆動を制御する。米供給部６によって鍋３０内に米を供給するとき、制御部７は、送米路モータ６７を駆動し、送米パイプ６５を下方に移動させてシャッター４３０を開く。さらに、制御部７は、搬送モータ６２０を駆動して、送米軸６１によって米を米供給口６０ｂへ送り、予め決められた量の米を鍋３０内に供給する。米の供給後、制御部７は、搬送モータ６２０を駆動し、米通路開閉部６１１を開位置（図１５）から閉位置（図１４）へ移動させる。また、制御部７は、送米路モータ６７を駆動し、送米パイプ６５を上方に移動させてシャッター４３０を閉じる。
【００５９】
次に、洗米構成について説明する。図２１は、洗米ユニット８の分解図である。図２１に示すように、洗米ユニット８は、鍋３０内で洗米する洗米部８０を備える。洗米部８０は、回転して米を撹拌する撹拌羽根８０ａと、上下方向に延在し撹拌羽根８０ａと接続する管状の洗米管８０ｂとを有する。また、洗米部８０及び排水管９は、鍋３０内で上下移動可能に構成されている。
【００６０】
撹拌羽根８０ａは、蓋体ユニット４の下方に着脱可能に設けられた鍋３０内で洗米する。本実施形態では、撹拌羽根８０ａは、洗米管８０ｂの下端部から複数方向に外側に向けて板状に延在して形成される。洗米管８０ｂは、撹拌羽根８０ａとともに回転する。洗米管８０ｂ内には、排水管９が挿入される。洗米管８０ｂは、フィルタ部８１を介して排水管９と接続する。フィルタ部８１は、排水を濾過するための部材である。フィルタ部８１は、排水管９の下端部で接続される。また、フィルタ部８１は、洗米部８０が排水管９とともに上下移動するように、洗米部８０と上下方向に係合する。
【００６１】
図２２は、図２１の洗米部８０及び排水管９の駆動構成を示す縦断面図である。図２２に示すように、洗米ユニット８は、洗米部８０と接続する回転駆動ギア８２を有する。具体的には、洗米部８０は、洗米管８０ｂの外周部に接続する接続管８３を介して回転駆動ギア８２と接続する。接続管８３は、回転駆動ギア８２の回転に伴って回転する。本実施形態では、回転駆動ギア８２は、接続管８３に設けられる。また、図３に示すように、接続管８３は、鍋蓋４３よりも上方に設けられる。
【００６２】
さらに、洗米ユニット８は、管状に形成されて排水管９と接続して排水管９からの水を排水する排水接続部８４と、排水接続部８４と接続する上下駆動ギア８５と、上下駆動ギア８５と回転駆動ギア８２とに接続されるギア駆動源８６とを有する。
【００６３】
排水接続部８４の外周部は、螺旋状に形成される。上下駆動ギア８５は、環状に形成される。排水接続部８４は上下駆動ギア８５に挿入されて、排水接続部８４の外周部と上下駆動ギア８５の内周部と螺合する。排水管９及び排水管９に接続する洗米部８０は、ギア駆動源８６による上下駆動ギア８５の回転に伴って排水接続部８４が上下移動することで上下移動する。洗米部８０は、ギア駆動源８６による回転駆動ギア８２の回転に伴って回転する。本実施形態では、洗米部８０は、排水管９とは独立して回転する。すなわち、排水管９は、洗米部８０と供回りしない。このため、洗米部８０の回転によって排水管９がねじれることを防ぐことができる。また、図３に示すように、排水接続部８４は、鍋蓋４３よりも上方に設けられる。
【００６４】
ギア駆動源８６は、固定台８６ｂに固定される。ギア駆動源８６は、駆動ギア８６ａを有する。ギア駆動源８６は、駆動ギア８６ａを介して上下駆動ギア８５と回転駆動ギア８２とに接続される。上下駆動ギア８５及び回転駆動ギア８２は、駆動ギア８６ａの回転に伴って回転する。本実施形態では、ギア駆動源８６はモータであって、ギア駆動源８６が回転駆動することで駆動ギア８６ａは回転する。
【００６５】
図２３は、図２２の排水管９及び排水接続部８４の縦断面図である。図２４は、図２２の排水管９の上端部の斜視図である。図２５は、図２２の排水接続部８４の下端部の斜視図である。
【００６６】
図２３に示すように、排水管９と排水接続部８４との接続箇所の外周には、排水接続パッキン８７が設けられる。これにより、排水管９及び排水接続部８４の外側に水が漏れることを防ぐことができる。また、排水管９は、排水接続部８４に着脱可能に取り付けられる。図２４に示すように、排水管９の上端部の外側面には、排水接続部８４と上下方向に係合する突起９０が設けられる。図２５に示すように、排水接続部８４の下端部の内側面には、排水管９の突起９０を嵌める溝８４ａが設けられる。本実施形態では、排水管９を排水接続部８４に挿入した後、排水管９を排水接続部８４に対して回転させて、突起９０と溝８４ａとを上下方向に係合させる。
【００６７】
図２６は、洗米部８０及び排水管９の横断面図である。図２６に示すように、洗米管８０ｂの外周部は、歯形状に形成される。接続管８３の内周部は、洗米管８０ｂの歯形状の外周部と噛み合うように凹歯形に形成される。また、接続管８３には、洗米管８０ｂが上下移動可能に挿入される。洗米管８０ｂは、接続管８３の回転に伴って回転する。また、洗米部８０は、接続管８３に着脱可能に取り付けられる。
【００６８】
図２７は、図２１の洗米部８０及び排水管９の駆動構成を示す上面図である。図２７に示すように、上下駆動ギア８５及び駆動ギア８６ａの外周部は、歯形状に形成される。上下駆動ギア８５と駆動ギア８６ａとは、上下駆動ギア８５の外周部と駆動ギア８６ａの外周部とが噛み合うことで接続される。本実施形態では、駆動ギア８６ａは、二段歯車である。駆動ギア８６ａは、上下二段に歯車を有する。上下駆動ギア８５は、駆動ギア８６ａの上段の歯車と噛み合う。また、上下駆動ギア８５は、補助ギア８８と噛み合って接続される。補助ギア８８によって、上下駆動ギア８５が側方にずれることを防ぐことができる。このため、上下駆動ギア８５と駆動ギア８６ａとを確実に噛み合わせることができる。
【００６９】
また、排水接続部８４には、排水接続部８４の回転を規制する規制ガイド８９が取り付けられる。図２１に示すように、規制ガイド８９は、排水接続部８４の上下移動をガイドするガイド溝８９ａが設けられる。
【００７０】
図２８は、図２１の洗米部８０及び排水管９の駆動構成を示す下面図である。図２８に示すように、回転駆動ギア８２の外周部は、歯形状に形成される。回転駆動ギア８２は、上下駆動ギア８５（図２７）よりも下方で駆動ギア８６ａに噛み合って接続される。具体的には、回転駆動ギア８２は、駆動ギア８６ａの下段の歯車と噛み合う。
【００７１】
駆動ギア８６ａが回転すると、上下駆動ギア８５及び回転駆動ギア８２が回転する。上下駆動ギア８５が回転すると、上下駆動ギア８５と螺合接続する排水接続部８４は、規制ガイド８９によって回転を規制された状態で上下移動する。このとき、排水接続部８４に接続する排水管９、及び排水管９と上下方向に係合する洗米部８０は、排水接続部８４とともに上下移動する。回転駆動ギア８２が回転すると、回転駆動ギア８２とともに接続管８３（図２６）が回転することで、接続管８３の内周部と噛み合う洗米管８０ｂが回転する。
【００７２】
図２９は、図７の洗米部８０が下方に移動した状態の蓋体ユニット４の縦断面図である。図２９に示すように、洗米時に、洗米部８０は下方に移動して鍋３０（図３）内の米を洗米する。ギア駆動源８６により上下駆動ギア８５及び回転駆動ギア８２が回転することで、洗米部８０は、回転しながら下方に移動する。洗米部８０が予め決められた高さまで下方に移動したとき、上下駆動ギア８５と排水接続部８４との螺合接続が解除されて上下駆動ギア８５は空回りする。このため、洗米部８０は、予め決められた高さに配置された状態で回転し続ける。これにより、鍋３０内の米を洗米する。
【００７３】
本実施形態では、排水管９に接続されるフィルタ部８１は、脚８１ａを有する。洗米部８０は、脚８１ａが鍋３０の底に達するまで、下方に移動する。脚８１ａにより、フィルタ部８１の排水口８１ｂ（図２８）と鍋３０の底との間に空間を設けることができる。このため、排水口８１ｂが鍋３０の底に接触することを防ぐことができ、効率良く鍋３０内の水を排水することができる。
【００７４】
洗米終了後、洗米部８０が上方に移動して、撹拌羽根８０ａは、鍋蓋４３の下面に配置される。ギア駆動源８６により駆動ギア８６ａが逆回転することで、上下駆動ギア８５及び回転駆動ギア８２は逆回転する。これにより、上下駆動ギア８５が排水接続部８４と再度噛み合うため、排水接続部８４の上方移動に伴い、排水管９及び洗米部８０は上方に移動する。また、洗米部８０は、回転駆動ギア８２の逆回転により、下方移動のときとは逆方向に回転しながら上方移動する。
【００７５】
次に、排水構成について説明する。図３０は、図３の排水ユニット１１の斜視図である。図３０に示すように、排水ユニット１１は、タンク１１０と、タンク１１０の水を排水するポンプ１１１とを備える。タンク１１０は、給水弁１１２（図３）を有する給水路１１３と排水管９とに接続されて水が溜められる。タンク１１０は、接続路１１４を介して排水管９と接続する。また、タンク１１０は、溜められた水を排水する排水路１１５と接続する。排水路１１５は、タンク１１０の底部に接続される。本実施形態では、ポンプ１１１は、非容積式ポンプである。ポンプ１１１は、例えば、渦巻き式ポンプである。
【００７６】
制御部７（図３）は、給水弁１１２の開閉及びポンプ１１１の駆動を制御する。具体的には、制御部７は、給水弁１１２を開いて給水を開始して、タンク１１０内に予め決められた水が溜まったとき給水弁１１２を閉じる。その後、制御部７は、ポンプ１１１を駆動させることで、鍋３０内の水を排水する。
【００７７】
炊飯器１は、鍋３０内への給水を行う鍋給水弁１２（図３）を有する。本実施形態では、制御部７は、鍋給水弁１２の開閉を制御する。制御部７は、給水弁１１２を開いてタンク１１０に予め決められた水を溜めた後、鍋給水弁１２を開いて鍋３０内への給水を行う。
【００７８】
図３１Ａから図３１Ｅを用いて、排水工程についてより詳細に説明する。図３１Ａは、排水工程を模式的に示す断面図である。図３１Ｂは、図３１Ａに続く工程を示す断面図である。図３１Ｃは、図３１Ｂに続く工程を示す断面図である。図３１Ｄは、図３１Ｃに続く工程を示す断面図である。図３１Ｅは、図３１Ｄに続く工程を示す断面図である。
【００７９】
まず、図３１Ａに示すように、給水弁１１２を開いてタンク１１０内に水を溜める。タンク１１０内に予め決められた量の水を溜めた後、給水弁１１２を閉じる。排水管９とタンク１１０とを接続する部分の最大高さは、排水路１１５の最大高さよりも高さｈ１分高い。これにより、タンク１１０内の水が排水管９を通じて鍋３０内に移動することを防ぐことができる。
【００８０】
次いで、図３１Ｂに示すように、鍋給水弁１２（図３）を開いて鍋３０内への給水を行う。予め決められた量の水を給水した後、鍋給水弁１２を閉じる。鍋３０内への給水により、排水管９内の空気がタンク１１０内に押し出されるため、タンク１１０内の水位は低下する。
【００８１】
次いで、図３１Ｃに示すように、ポンプ１１１を駆動して、洗米後の水を排水する。ポンプ１１１の駆動により、タンク１１０内の水が排水路１１５を通じて排水される。タンク１１０内の水の排水に伴って、鍋３０内の水が排水管９を通じてタンク１１０内に移動する。
【００８２】
次いで、図３１Ｄに示すように、ポンプ１１１を予め決められた時間で駆動して鍋３０内の水の排水が終わると、制御部７はポンプ１１１の駆動を停止する。ポンプ１１１の駆動を停止した後、図３１Ｅに示すように、排水路１１５内の水位とタンク１１０内の水位は同じ高さになる。
【００８３】
以上のような給排水の工程を複数回繰り返して、洗米を行う。
【００８４】
本実施形態に係る炊飯器１によれば、以下の効果を奏することができる。
【００８５】
本実施形態に係る炊飯器１は、筐体２と、引き出しユニット３と、蓋体ユニット４とを備える。引き出しユニット３は、筐体２に対して前後にスライド移動可能に収容され、鍋３０を収容する収容部３１を有する。蓋体ユニット４は、鍋３０の開口面Ｓ１と平行に設けられる回動軸４０を介して引き出しユニット３に回動可能に接続され、回動軸４０を中心に回動して鍋３０の開口３０ａを開閉する。回動軸４０は、引き出しユニット３とともにスライド移動する。蓋体ユニット４は、引き出しユニット３及び回動軸４０とともにスライド移動する。蓋体ユニット４は、回動軸４０を中心とする蓋体ユニット４の回動をガイドするガイド機構１０を介して筐体２に接続され、引き出しユニット３及び回動軸４０のスライド移動と連動して回動軸４０を中心に回動する。蓋体ユニット４の下面Ｓ２は、引き出しユニット３を筐体２内から引き出したとき、蓋体ユニット４の回動により前方に露出する。
【００８６】
この構成によれば、引き出しユニット３により鍋３０を引き出すことができるため、ユーザは鍋３０内へ容易にアクセスすることができる。蓋体ユニット４が引き出しユニット３及び回動軸４０とともにスライド移動するため、蓋体ユニット４に付着した水滴が筐体２内に落ちることを防ぐことができる。また、引き出しユニット３を引き出したとき、蓋体ユニット４の下面Ｓ２が前方に露出するため、蓋体ユニット４の下面Ｓ２の清掃性を向上させることができる。また、鍋３０を引き出す動作と蓋体ユニット４を開ける動作を同時に行うことができ、ユーザの手間を減らすことができる。また、蓋体ユニット４が回動軸４０により引き出しユニット３に回動可能に接続されるため、鍋３０の開口３０ａに対する蓋体ユニット４の位置合わせを容易に行うことができる。このため、蓋体ユニット４と鍋３０との間に隙間が生じることを防ぐことができ、蒸気が漏れることを防ぐことができる。
【００８７】
また、本実施形態に係る炊飯器１において、筐体２内に設けられ米を貯蔵する貯蔵部５と、貯蔵部５から鍋３０に米を供給する米供給部６と、米供給部６による米の供給を制御する制御部７とを備える。
【００８８】
この構成によれば、制御部７の制御によって米の貯蔵及び供給を自動的に行うことができるため、ユーザは鍋３０に米を供給する手間を減らすことができる。
【００８９】
また、本実施形態に係る炊飯器１において、蓋体ユニット４の下方に着脱可能に設けられ鍋３０内で洗米する撹拌羽根８０ａを備える。撹拌羽根８０ａは、引き出しユニット３を筐体２内から引き出したとき、蓋体ユニット４の回動により前方に露出する。
【００９０】
この構成によれば、撹拌羽根８０ａで洗米を行うことができるため、ユーザが洗米を行う手間を減らすことができる。引き出しユニット３を筐体２内から引き出したとき、着脱可能な撹拌羽根８０ａが前方に露出するため、洗米によって汚れやすい撹拌羽根８０ａの清掃性を向上させることができる。
【００９１】
また、本実施形態に係る炊飯器１において、蓋体ユニット４の下面Ｓ２には、鍋３０の開口３０ａを開閉する鍋蓋４３が着脱可能に取り付けられる。
【００９２】
この構成によれば、蓋体ユニット４の下面Ｓ２は、炊飯時の蒸気が付着して汚れやすい部分である。引き出しユニット３を筐体２内から引き出したとき蓋体ユニット４の下面Ｓ２が引き出しユニット３の前方に露出するため、露出する蓋体ユニット４の下面Ｓ２に鍋蓋４３が着脱可能に取り付けられていることで、鍋蓋４３の清掃性を向上させることができる。
【００９３】
また、本実施形態に係る炊飯器１において、筐体２内に設けられ米を貯蔵する貯蔵部５と、貯蔵部５から鍋３０に米を供給する米供給部６とを備える。鍋蓋４３には、米供給部６から鍋３０に米を供給する米供給路４３ｂが設けられる。
【００９４】
この構成によれば、鍋蓋４３が着脱可能であるため、汚れやすい部分である米供給路４３ｂの清掃性を向上させることができる。
【００９５】
また、本実施形態に係る炊飯器１において、蓋体ユニット４は、弾性部材４１によって付勢されて回動軸４０を中心に開方向（Ａ１）に回動する。引き出しユニット３は、筐体２に収容された閉位置において、前方に引き出されることを防ぐロック機構３３を有する。ガイド機構１０は、鉛直方向に形成されたガイド１０２を有する。ロック機構３３を解除したとき、蓋体ユニット４が弾性部材４１によって開方向（Ａ１）に回動し、ガイド機構１０を介した筐体２との蓋体ユニット４の接続部がガイド１０２によって後方への移動を規制される。これにより、蓋体ユニット４と接続する引き出しユニット３は、弾性部材４１の付勢力によって筐体２内から前方へ引き出される。
【００９６】
この構成によれば、ロック機構３３を解除することで引き出しユニット３が前方に引き出されるため、ユーザは引き出しユニット３を容易に前方に引き出すことができる。
【００９７】
また、本実施形態に係る炊飯器１において、蓋体ユニット４は、筐体２の前面を形成する前面パネル４２を有する。前面パネル４２の背面は、蓋体ユニット４が開位置にあるとき、筐体２の上面に位置する。
【００９８】
この構成によれば、蓋体ユニット４が開位置にあるとき、前面パネル４２の背面が筐体２の上面に位置することで、蓋体ユニット４が開位置にある状態の炊飯器１の高さを低くすることができる。このため、炊飯器１をコンパクトに収容することができる。
【００９９】
また、本実施形態に係る炊飯器１において、鍋３０に米を供給する米供給部６を備える炊飯器１であって、米供給部６は、筒状に形成される送米ガイド６０と、送米ガイド６０内に挿入されて米を軸方向に送る送米軸６１と、送米軸６１を駆動する駆動源６２とを備える。送米ガイド６０は、送米ガイド６０内に米を投入する米投入口６０ａと、送米軸６１の軸方向において米投入口６０ａとずれて鍋３０の上方に設けられ、米投入口６０ａから送米軸６１によって送られる米を鍋３０に供給する米供給口６０ｂとを有する。送米軸６１には、米を供給しないとき米投入口６０ａから米供給口６０ｂへの米通路６０ｃを閉鎖する閉位置に位置し、米を供給するとき軸方向に移動して米通路６０ｃを開放する開位置に位置する米通路開閉部６１１が設けられる。
【０１００】
この構成によれば、米通路開閉部６１１が米通路６０ｃを閉鎖することで、鍋３０からの蒸気が米投入口６０ａと米通路開閉部６１１との間の空間に侵入することを防ぐことができる。また、送米軸６１に米通路開閉部６１１を設けることで、１つの駆動源６２で蒸気の侵入を防ぐことができる。
【０１０１】
また、本実施形態に係る炊飯器１において、送米軸６１は、軸周りに螺旋状に形成される送米羽根６１０を有する。送米羽根６１０は、送米軸６１を中心に回転して米を軸方向に送る。
【０１０２】
この構成によれば、送米羽根６１０が螺旋状に形成されることで、米供給口６０ｂに送る米の量を微調整することができる。また、送米羽根６１０が螺旋状に形成されることで、送米ガイド６０の内周面に面する、送米羽根６１０の外周部の面積を増加させることができるため、送米羽根６１０と送米ガイド６０との間を蒸気が通過することを抑制できる。
【０１０３】
また、本実施形態に係る炊飯器１において、米供給部６は、送米軸６１と螺合接続する送米軸受け部６３と、送米軸６１が送米軸受け部６３に螺合する方向に、送米軸６１を付勢する送米軸用弾性部材６４とを備える。送米軸６１は、送米軸受け部６３に対して回転することで、米通路開閉部６１１とともに軸方向に移動する。米通路開閉部６１１が開位置に位置するとき、送米軸６１と送米軸受け部６３との螺合接続が解除された状態で、送米軸６１は、駆動源６２によって回転して米を米供給口６０ｂへ送る。米の供給を止めるとき、送米軸用弾性部材６４によって送米軸６１を送米軸受け部６３に付勢した状態で送米軸６１を逆回転させることで、送米軸６１は、送米軸受け部６３と螺合接続して、米通路開閉部６１１を開位置から閉位置へ移動させる。
【０１０４】
この構成によれば、送米軸６１が、送米軸受け部６３に対して回転して米通路開閉部６１１とともに軸方向に移動することで、米通路開閉部６１１による米通路６０ｃの開閉構成を容易にすることができる。また、送米軸用弾性部材６４が送米軸６１を送米軸受け部６３に付勢するため、米通路開閉部６１１を開位置から閉位置へ移動させるとき、送米軸６１を送米軸受け部６３に容易に螺合接続させることができる。
【０１０５】
また、本実施形態に係る炊飯器１において、米投入口６０ａは上方に開口し、米供給口６０ｂは下方に開口する。
【０１０６】
この構成によれば、米の重力によって、米投入口６０ａに投入した米を送米軸６１まで移動させることができる。また、米の重力によって、米供給口６０ｂから鍋３０に米を供給することができる。このため、より効率的に米を供給することができる。
【０１０７】
また、本実施形態に係る炊飯器１において、鍋３０の開口３０ａを覆う鍋蓋４３と、鍋蓋４３において上下方向に貫通して設けられる開閉口４３ａを、開閉軸４３０ａを中心に回転して開閉可能なシャッター４３０と、上下移動可能な送米パイプ６５とを備える。送米パイプ６５は、筒状に延びて形成され米供給口６０ｂに接続され、米供給口６０ｂから供給される米を下方に誘導する、シャッター４３０は、送米パイプ６５の上下移動と連動して開閉する。米供給口６０ｂ及び送米パイプ６５は、シャッター４３０の上方に空間を空けて配置される。米を供給するとき、送米パイプ６５を下方に移動させるとともにシャッター４３０を連動して開くことで、米供給口６０ｂから鍋３０内への搬送路４３ｃを形成する。
【０１０８】
この構成によれば、シャッター４３０が送米パイプ６５の下方への移動と連動して開閉することで、シャッター４３０が意図せずに開くことを防ぐことができる。このため、米供給口６０ｂへ炊飯時の蒸気が侵入することを防ぐことができる。また、米供給口６０ｂ及び送米パイプ６５はシャッター４３０の上方に空間を空けて配置されるため、米供給口６０ｂへ蒸気が侵入することをより一層防ぐことができる。
【０１０９】
また、本実施形態に係る炊飯器１において、シャッター４３０は、送米パイプ６５がシャッター４３０を下方に押すことで、送米パイプ６５の下方への移動と連動して開く。
【０１１０】
この構成によれば、シャッター４３０と送米パイプ６５との連動構成を簡易にすることができる。
【０１１１】
また、本実施形態に係る炊飯器１において、シャッター４３０は、シャッター４３０を閉じる方向に付勢するシャッター用弾性部材４３１を有する。送米パイプ６５の下方への移動と連動してシャッター４３０が開く途中で、シャッター用弾性部材４３１の付勢力が弱まるように構成されている。
【０１１２】
この構成によれば、米を供給しないとき、シャッター４３０の開閉口４３ａの密閉性を向上させることができる。さらに、シャッター４３０が開く途中でシャッター用弾性部材４３１の付勢力が弱まるため、米の供給を容易に行うことができる。
【０１１３】
また、本実施形態に係る炊飯器１において、鍋３０内で洗米する洗米部８０と、鍋３０内の水を排水する排水管９とを備える。洗米部８０は、回転して米を撹拌する撹拌羽根８０ａを有し、洗米部８０及び排水管９は、鍋３０内で上下移動可能に構成されている。
【０１１４】
この構成によれば、洗米する空間を別途設けずに鍋３０内で洗米できるため、炊飯器１を小型化することができる。鍋３０に排水の穴を設けずに排水管９によって排水できるため、鍋３０の構成を簡易にすることができる。洗米部８０及び排水管９が鍋３０内に上下移動可能に挿入されることで、炊飯時に洗米部８０及び排水管９を上方に移動させることができる。このため、炊飯後の米が洗米部８０及び排水管９に付着することを防ぐことができる。
【０１１５】
また、本実施形態に係る炊飯器１において、洗米部８０は、上下方向に延在し撹拌羽根８０ａと接続して撹拌羽根８０ａとともに回転する管状の洗米管８０ｂを有する。排水管９は、洗米管８０ｂ内に挿入され鍋３０内の水を排水する。
【０１１６】
この構成によれば、排水管９を洗米管８０ｂに挿入した二重管構造にして鍋３０内の水を排水することで、鍋３０内の空間を効率的に使用することができる。また、排水管９が撹拌羽根８０ａと干渉することを防ぐことができる。
【０１１７】
また、本実施形態に係る炊飯器１において、管状に形成されて排水管９と接続して排水管９からの水を排水する排水接続部８４と、排水接続部８４と接続する上下駆動ギア８５と、洗米部８０と接続する回転駆動ギア８２と、ギア駆動源８６とを備える。ギア駆動源８６は、上下駆動ギア８５と回転駆動ギア８２とに接続される。排水管９及び排水管９に接続する洗米部８０は、ギア駆動源８６による上下駆動ギア８５の回転に伴って排水接続部８４が上下移動することで上下移動する。洗米部８０は、ギア駆動源８６による回転駆動ギア８２の回転に伴って回転する。
【０１１８】
この構成によれば、同じギア駆動源８６によって上下駆動ギア８５及び回転駆動ギア８２を駆動することができるため、効率良く、排水管９及び洗米部８０を上下移動させて洗米部８０を回転させることができる。また、排水管９及び洗米部８０の駆動構成を簡易にすることができる。
【０１１９】
また、本実施形態に係る炊飯器１において、洗米管８０ｂが上下移動可能に挿入され洗米管８０ｂの外周部と接続して、回転駆動ギア８２の回転に伴って回転する接続管８３を備える。洗米管８０ｂは、接続管８３の回転に伴って回転する。接続管８３及び排水接続部８４は、鍋３０の開口３０ａを覆う鍋蓋４３よりも上方に設けられる。洗米部８０は、接続管８３に着脱可能に取り付けられる。排水管９は、排水接続部８４に着脱可能に取り付けられる。
【０１２０】
この構成によれば、接続管８３及び排水接続部８４を鍋蓋４３よりも上方に設けることで、接続管８３及び排水接続部８４が水に直接触れることを防ぐことができる。また、洗米部８０及び排水管９を着脱可能にすることで、水に直接触れる部分の清掃性を向上させることができる。
【０１２１】
また、本実施形態に係る炊飯器１において、給水弁１１２を有する給水路１１３と排水管９とに接続されて水が溜められ、溜められた水を排水する排水路１１５と接続するタンク１１０と、タンク１１０の水を排水するポンプ１１１と、制御部７とを備える。制御部７は、給水弁１１２の開閉及びポンプ１１１の駆動を制御する。制御部７は、給水弁１１２を開いて給水を開始して、タンク１１０内に予め決められた水が溜まったとき給水弁１１２を閉じ、その後、ポンプ１１１を駆動させることで、鍋３０内の水を排水する。
【０１２２】
この構成によれば、鍋３０及びタンク１１０に水が入った状態で給水弁１１２を閉じることで、排水管９及びタンク１１０内の空間を閉空間とすることができる。この状態で、ポンプ１１１を駆動することで、タンク１１０内の水の排水に伴って鍋３０内の水を排水することができる。また、ポンプ１１１が渦巻き式ポンプの場合、米の研ぎ水に含まれる成分がポンプ１１１の弁に付着することで弁機能が失われてポンプ１１１が機能しなくなることを防ぐことができる。このため、鍋３０内の水をより確実に排水することができる。
【０１２３】
また、本実施形態に係る炊飯器１において、排水管９とタンク１１０とを接続する部分の最大高さは、排水路１１５の最大高さよりも高くなるように構成される。
【０１２４】
この構成によれば、排水管９とタンク１１０とを接続する部分の最大高さが排水路１１５の最大高さよりも高いとき、タンク１１０内の水面が、排水管９とタンク１１０とを接続する部分の最大高さまで上昇することを防ぐことができる。このため、タンク１１０内の水が逆流して鍋３０内に戻ることを防ぐことができる。このため、鍋３０内をより清潔に保つことができる。
【０１２５】
また、本実施形態に係る炊飯器１において、鍋３０内への給水を行う鍋給水弁１２を有し、制御部７は、鍋給水弁１２の開閉を制御し、給水弁１１２を開いてタンク１１０に予め決められた水を溜めた後、鍋給水弁１２を開いて鍋３０内への給水を行う。
【０１２６】
この構成によれば、タンク１１０内に水を溜めるときに鍋３０内に水が溜まっていないため、排水管９を通じてタンク１１０内の空気を容易に排出することができる。このため、タンク１１０内に水を容易に溜めることができる。
【０１２７】
なお、本発明は前記実施形態に限定されるものではなく、その他種々の態様で実施できる。前記実施形態では、炊飯器１は、筐体２内に設けられ米を貯蔵する貯蔵部５と、貯蔵部５から鍋３０に米を供給する米供給部６と、制御部７とを備えるとしたが、これに限定されない。蓋体ユニット４が引き出しユニット３のスライド移動と連動して回動軸４０を中心に回動する構成であれば、他の構成であってもよい。
【０１２８】
また、ガイド１０２は、鉛直方向（Ｚ方向）に形成されるとしたが、これに限定されない。ガイド１０２は、例えば鉛直方向に対して斜めに傾斜していてもよい。この構成によっても、ガイド機構１０を介した筐体２との蓋体ユニット４の接続部が後方へ移動することを規制することができる。
【０１２９】
また、米供給部６は、送米軸６１と螺合接続する送米軸受け部６３を備えるとしたが、送米軸６１により軸方向に米を送る構成であれば、他の構成であってもよい。
【０１３０】
また、シャッター４３０は、送米パイプ６５がシャッター４３０を下方に押すことで、送米パイプ６５の下方への移動と連動して開くとしたが、他の構成であってもよい。例えば、リンク機構によって、シャッター４３０は、送米パイプ６５の上下移動と連動して開閉してもよい。
【０１３１】
また、給水弁１１２を開いてタンク１１０内に水を溜めるとしたが、鍋３０内に水を給水した後、タンク１１０内に水を溜めてもよい。これによっても、鍋３０内の水を排水することができる。
【０１３２】
また、米投入口６０ａは上方筒状部６０１に形成されて上方に開口し、米供給口６０ｂは下方筒状部６０２に形成されて下方に開口するとしたが、他の構成であってもよい。米投入口６０ａ及び米供給口６０ｂは、筒状部６００に形成されてもよい。また、米投入口６０ａ及び米供給口６０ｂは、例えば、筒状部６００の側方に形成されてもよい。この構成によっても、鍋３０からの蒸気が米投入口６０ａと米通路開閉部６１１との間の空間に侵入することを防ぐことができる。
【０１３３】
また、送米軸６１は、軸周りに螺旋状に形成される送米羽根６１０を有するとしたが、螺旋状の送米羽根６１０を有しない構成であってもよい。送米軸６１は、米通路開閉部６１１を軸方向に往復させることで、米投入口６０ａから米供給口６０ｂへの米通路６０ｃを開閉してもよい。この構成によっても、米供給口６０ｂに送る米の量を調整することができる。
【０１３４】
また、洗米部８０は、回転して米を撹拌する撹拌羽根８０ａと、上下方向に延在し撹拌羽根８０ａと接続する管状の洗米管８０ｂとを有するとしたが、鍋３０内で洗米できる構成であれば、他の構成であってもよい。洗米部８０は、例えば、鍋３０内の水に圧縮空気を噴出して水流を形成する構成であってもよい。この構成によっても鍋３０内の米を洗米することができる。
【０１３５】
また、排水管９及び排水管９に接続する洗米部８０は、ギア駆動源８６による上下駆動ギア８５の回転に伴って排水接続部８４が上下移動することで上下移動するとしたが、他の構成であってもよい。洗米部８０及び排水管９は、鍋３０内で上下移動可能に構成されていれば、例えば、洗米部８０及び排水管９を歯車機構ではなくベルトにより上下移動させてもよい。
【０１３６】
また、洗米部８０及び排水管９は、鍋３０内で上下移動可能に構成されているとしたが、洗米部８０及び排水管９は、予め決められた高さに固定されていてもよい。この構成によっても、ポンプ１１１を駆動することで、タンク１１０内の水の排水に伴って鍋３０内の水を排水することができる。
【０１３７】
また、ポンプ１１１を予め決められた時間で駆動して鍋３０内の水の排水が終わると、制御部７はポンプ１１１の駆動を停止するとしたが、ポンプ１１１は、タンク１１０内の水の排水が終わるまで駆動してもよい。
【０１３８】
また、図３１Ａから図３１Ｅに示すような給排水の工程を複数回繰り返して、洗米を行うとしたが、複数回でなく１回のみでもよい。これによっても、鍋３０内の水を排水することができる。
【０１３９】
本発明は、添付図面を参照しながら好ましい実施形態に関連して充分に記載されているが、この技術の熟練した人々にとっては種々の変形や修正は明白である。そのような変形や修正は、添付した特許請求の範囲による本発明の範囲から外れない限りにおいて、その中に含まれると理解されるべきである。また、実施形態における要素の組み合わせや順序の変化は、本発明の範囲および思想を逸脱することなく実現し得るものである。
【産業上の利用可能性】
【０１４０】
本発明に係る炊飯器によれば、鍋が筐体内にスライド移動可能に収容される炊飯器に有用である。
【符号の説明】
【０１４１】
１  炊飯器
２  筐体
３  引き出しユニット
３０  鍋
３０ａ  開口
３１  収容部
３１ａ  加熱部
３２  レール
３３  ロック機構
３３ａ  フックレバー
３３ａａ  係合部
３３ｂ  回動部
３４  重量計測台
３５  重量検知機構
４  蓋体ユニット
４０  回動軸
４１  弾性部材
４２  前面パネル
４２ａ  被係合部
４３  鍋蓋
４３ａ  開閉口
４３ｂ  米供給路
４３ｃ  搬送路
４３ｄ  蒸気口
４３ｅ  挿入口
４３０  シャッター
４３０ａ  開閉軸
４３１  シャッター用弾性部材
４３２  内蓋
４３３  鍋パッキン
４３４  内蓋支え
４３５  内蓋ケース
４３６  内蓋パッキン
４３７  米蓋パッキン
４３８  米蓋パッキン押さえ
５  貯蔵部
６  米供給部
６０  送米ガイド
６００  筒状部
６０１  上方筒状部
６０２  下方筒状部
６０ａ  米投入口
６０ｂ  米供給口
６０ｃ  米通路
６１  送米軸
６１０  送米羽根
６１１  米通路開閉部
６２  駆動源
６２０  搬送モータ
６２１  駆動軸
６２２  搬送モータ固定台
６３  送米軸受け部
６４  送米軸用弾性部材
６５  送米パイプ
６６  送米パイプガイド
６７  送米路モータ
７  制御部
８  洗米ユニット
８０  洗米部
８０ａ  撹拌羽根
８０ｂ  洗米管
８１  フィルタ部
８１ａ  脚
８１ｂ  排水口
８２  回転駆動ギア
８３  接続管
８４  排水接続部
８４ａ  溝
８５  上下駆動ギア
８６  ギア駆動源
８６ａ  駆動ギア
８６ｂ  固定台
８７  排水接続パッキン
８８  補助ギア
８９  規制ガイド
８９ａ  ガイド溝
９  排水管
９０  突起
１０  ガイド機構
１０１  リンクピン
１０２  ガイド
１１  排水ユニット
１１０  タンク
１１１  ポンプ
１１２  給水弁
１１３  給水路
１１４  接続路
１１５  排水路
１２  鍋給水弁
【図１】
2020005668.tif 000003
【図２】
2020005668.tif 000004
【図３】
2020005668.tif 000005
【図４】
2020005668.tif 000006
【図５】
2020005668.tif 000007
【図６】
2020005668.tif 000008
【図７】
2020005668.tif 000009
【図８】
2020005668.tif 000010
【図９】
2020005668.tif 000011
【図１０】
2020005668.tif 000012
【図１１】
2020005668.tif 000013
【図１２】
2020005668.tif 000014
【図１３】
2020005668.tif 000015
【図１４】
2020005668.tif 000016
【図１５】
2020005668.tif 000017
【図１６】
2020005668.tif 000018
【図１７】
2020005668.tif 000019
【図１８】
2020005668.tif 000020
【図１９】
2020005668.tif 000021
【図２０】
2020005668.tif 000022
【図２１】
2020005668.tif 000023
【図２２】
2020005668.tif 000024
【図２３】
2020005668.tif 000025
【図２４】
2020005668.tif 000026
【図２５】
2020005668.tif 000027
【図２６】
2020005668.tif 000028
【図２７】
2020005668.tif 000029
【図２８】
2020005668.tif 000030
【図２９】
2020005668.tif 000031
【図３０】
2020005668.tif 000032
【図３１Ａ】
2020005668.tif 000033
【図３１Ｂ】
2020005668.tif 000034
【図３１Ｃ】
2020005668.tif 000035
【図３１Ｄ】
2020005668.tif 000036
【図３１Ｅ】
2020005668.tif 000037